(57)【特許請求の範囲】
【請求項１】
撮像装置において、
上記撮像装置内部に可動である可動部材を有し、該可動部材が磁石を利用して制御される装置と、
上記撮像装置の外部に配され、モニタ使用姿勢位置とモニタ非使用姿勢位置とを可動とする可動モニタと、
上記磁石からの磁束の変化により上記可動モニタの上記モニタ使用姿勢位置およびモニタ非使用姿勢位置を検出するために上記可動モニタに設けられた磁気検出手段と、
を具備することを特徴とする撮像装置。
【請求項２】
上記装置は、上記撮像装置が撮像する画像のブレを防止軽減するためのブレ防止装置であり、上記磁石は、上記可動部材を磁気駆動することを特徴とする請求項１記載の撮像装置。
【請求項３】
上記磁石と上記磁気検出手段との間には、磁気回路を形成するための強磁性材料が配置されていることを特徴とする請求項１または２に記載の撮像装置。
【発明の詳細な説明】
【技術分野】
【０００１】
本発明は、撮像装置における可動モニタの姿勢位置検出機構に関する。
【背景技術】
【０００２】
従来のデジタルカメラ等の撮像装置において開閉可能な液晶表示部（可動モニタ）を備えたものとして、例えば、特許文献１に開示された撮像装置は、該液晶表示部の閉状態ロック機構と開閉状態を検出する開閉検知スイッチ機構とを備えている。
【０００３】
上記開閉ロック機構および開閉検知スイッチ機構は、液晶表示部に配される磁石と、カメラ本体側に配される金属板およびロック状態を検出するための磁気感応センサとからなる。
【先行技術文献】
【特許文献】
【０００４】
【特許文献１】特開平１１−１５５０８６号公報
【発明の開示】
【発明が解決しようとする課題】
【０００５】
上述した特許文献１に開示された撮像装置においては、開閉ロック機構および開閉検知スイッチ機構として専用の磁石を設ける必要がある。
【０００６】
本発明は、上述の問題を解決するためになされたものであり、より簡単な構成の可動モニタの姿勢位置検出機構を有する撮像装置を提供することを目的とする。
【課題を解決するための手段】
【０００７】
上記課題を解決するために本発明の撮像装置は、上記撮像装置内部に可動である可動部材を有し、該可動部材が磁石を利用して制御される装置と、上記撮像装置の外部に配され、モニタ使用姿勢位置とモニタ非使用姿勢位置とを可動とする可動モニタと、上記磁石からの磁束の変化により上記可動モニタの上記モニタ使用姿勢位置およびモニタ非使用姿勢位置を検出するために上記可動モニタに設けられた磁気検出手段と、を具備する。
【発明の効果】
【０００８】
本発明によると、より簡単な構成の可動モニタの姿勢位置検出機構を有する撮像装置を提供することができる。
【図面の簡単な説明】
【０００９】
【図１】本発明の一実施形態としての撮像装置であるデジタルカメラのモニタ非使用状態における背面側からみた斜視図
【図２】図１のデジタルカメラのモニタ使用状態における背面側からみた斜視図
【図３】図１のデジタルカメラのモニタ使用状態にてモニタを回動させた状態を背面側からみた斜視図
【図４】図１のデジタルカメラの撮影レンズ光軸に沿った縦断面図（図５のＢ−Ｂ断面が対応する）
【図５】図４のＡ−Ａ断面図
【図６】モニタ非使用状態における図５のＤ−Ｄ断面図
【図７】モニタ使用状態における図５のＤ−Ｄ断面図
【図８】モニタ使用状態における図５のＣ−Ｃ断面図
【図９】図７のＥ部拡大断面図
【発明を実施するための最良の形態】
【００１０】
以下、本発明の実施形態について、図を用いて説明する。
【００１１】
本発明の一実施形態としての撮像装置であるデジタルカメラ（以下、カメラと記載する）１は、図１〜５に示すように撮像ユニット２１およびカメラ制御回路部９を内蔵し、撮影レンズユニットが着脱可能なカメラ外装体２と、カメラ外装体２の背面部にＸ，Ｙ方向の軸中心に回動可能に支持される可動モニタ装置としての液晶表示枠６とを備えている。
【００１２】
なお、カメラ外装体２において、装着される撮影レンズの光軸をＯとし、その被写体側を前方とし、結像側を後方（または、背面側）とする。また、光軸Ｏの方向に対して直交する方向であって、通常の撮影姿勢における上下方向をＹ方向とする。また、水平方向をＸ方向とし、その左右側は、背面側からみた側で示す。
【００１３】
カメラ外装体２の前面部には、撮影レンズユニットが着脱可能なレンズマウント３が配されている。カメラ外装体２の上面部には、パワースイッチ釦４およびレリーズ釦５が配されている。カメラ外装体２の背面部には液晶表示枠６をはめ込み格納な背面凹部２ｂが設けられている。
【００１４】
撮像ユニット２１は、カメラ外装体２の内部の光軸Ｏ上に配され、撮像画像のブレを防止軽減するための姿勢位置検出機構を含む装置としてのブレ防止装置付きの撮像部である。該撮像ユニット２１は、カメラ外装体２にに対してＸＹ面に沿った状態で固着され、強磁性材料からなり、ヨークを兼ねる後支持板２２および前支持板２３と、前、後支持板２３，２２間に介在し、ＸＹ平面上を変位可能に支持され、ＸＹ駆動コイル３１，３２を有する可動部材である可動枠２４と、上記カメラ制御ユニットに接続されるフレキシブルプリント基板２９に実装され、かつ、可動枠２４により撮像素子支持台２５を介して保持される撮像素子２６と、撮像素子前面に配される光学フィルタ２７および保護ガラス２８と、前、後支持板２３、２２に内側に固着され、ＸＹ駆動コイル３１，３２に対向する状態で配される２組の磁石３３，３４とを備えている。
【００１５】
カメラ１にて撮影を行う場合、撮影レンズを介して取り込まれた被写体像は、撮像素子２６の受光面上に結像し、撮像素子２６より被写体像の撮像信号が出力される。カメラ１がブレ防止モードにあって、撮影露光時にカメラ外装体２のブレが検出された場合、ブレ信号に基づいてＸＹ駆動コイル３１，３２に電流が流される。磁石３３，３４による磁界中にあるＸＹ駆動コイル３１，３２は、上記ブレを打ち消す方向に変位する力を受け、撮像素子２６を保持する可動枠２４が該方向に変位する。この撮像素子変位動作により像ブレが軽減された撮像信号が撮像素子２６より出力される。
【００１６】
液晶表示枠６は、モニタ部を備え、姿勢位置検出機構を含み、図４，６〜８に示すように一方の平面側がモニタ表示窓８となり、他方の面は枠外装背面６ａとなっている。モニタ表示窓８の内部にＴＦＴ型のＬＣＤ１３が配されている。ＬＣＤ１３の反表示窓側にＬＣＤ基板１４が密着状態で配されている。
【００１７】
ＬＣＤ基板１４にはＬＣＤ表示制御回路およびＬＣＤ１３のオンオフを制御するための磁石３３に対する磁気検出手段としてのホール素子１５が実装されており、カメラ制御回路部９にフレキシブルプリント基板を介して接続される。
【００１８】
ＬＣＤ基板１４の表面側（すなわち、反ＬＣＤ側）には後述するモニタ観察を行わないモニタ非使用状態（図６）、または、モニタ観察を行うモニタ使用状態（図７）にて当該液晶表示枠６がカメラ外装体２の背面凹部２ｂに格納された状態にあるとき、カメラ外装体２の内部に配されている一方の磁石３３と対向するようにホール素子１５が位置している。但し、上記モニタ非使用状態（図６）では、ホール素子１５の表面（反実装面側）１５ａがカメラの背面側、すなわち、ＬＣＤ１３を介してホール素子１５の表面１５ａが背を向けた状態にある。上記モニタ使用状態（図７）では、ホール素子１５の表面１５ａが前面側、すなわち、磁石側向いた状態にある。従って、上記モニタ非使用状態の場合と上記モニタ使用状態の場合では、ホール素子１５にかかる磁界に向きが逆になり、これに応じた出力信号がホール素子１５より出力される。
【００１９】
一方、カメラ外装体２内部の後支持板２２には、図９に示すように磁石３３を保持する面の裏面側にてホール素子１５と対向する位置に背面側に対の状態で部分的に突出する折り曲げ突起部２２ａが設けられてる。さらに、折り曲げ突起部２２ａの先端部は、ホール素子１５に対してより接近させるため、カメラ外装体２の逃げ部２ｃに嵌り込んでいる。これによって、ヨークとなる後支持板２２から磁石３３による漏れ磁束がホール素子１５側に達しやすい磁気回路が形成される。
【００２０】
カメラ外装体２の背面凹部２ｂの左端部２ａに保持されるＹ方向のＹ支持軸１１には支持ブロック７が回動可能に支持される。液晶表示枠６の枠左端部は、該支持ブロック７にてＸ方向のＸ支持軸１２により回動可能に支持されている。従って、液晶表示枠６は、Ｙ支持軸１１まわりに回動移動が可能で、かつ、Ｘ支持軸１２まわりに少なくとも角度１８０°回動可能となる。
【００２１】
上述した構成を有するカメラ１における液晶表示枠６の姿勢位置に対するＬＣＤ１３のオンオフ動作について説明する。
【００２２】
カメラ１が電源スイッチオンの状態であるとき、図１，６に示すように液晶表示枠６の枠外装背面６ａをカメラ外装体２の表面に露呈し、カメラ外装体２の背面凹部２ｂに格納した状態、言い換えると、モニタ表示窓８が内側となる状態で液晶表示枠６がモニタ非使用姿勢位置にあるとき、ホール素子１５は、その表面側１５ａの裏面（実装面）がＬＣＤ１３を介して磁石３３に対向して位置することから前述したようにホール素子１５から出力信号、例えば、負電圧が出力され、カメラ制御回路部９は、モニタ観察を行わないものとしてＬＣＤ１３をオフ状態に保つ。
【００２３】
図２，７に示すように液晶表示枠６をＹ支持軸１１、Ｘ支持軸１２まわりに回動させ、モニタ表示窓８の表面を背面に露呈した状態でカメラ外装体２の背面凹部２ｂに格納した状態、言い換えると、液晶表示枠６がカメラ１の背面からモニタ観察できるモニタ使用姿勢位置に移動させると、ホール素子１５は、その表面側１５ａが磁石３３側に対向することから前述したようにホール素子１５から出力信号、例えば、正電圧が出力され、カメラ制御回路部９は、ＬＣＤ１３をオン状態に切り換える。
【００２４】
図３に示すように液晶表示枠６をＹ支持軸１１まわりに回動させ、カメラ外装体２の背面凹部２ｂから開き、さらには、Ｘ支持軸１２まわりに回動させてカメラ１の左右方向、また、上下方向からモニタ観察可能なするモニタ使用状態にしたときは、当然ながらホール素子１５は、磁石３３から離間した状態、言い換えると、後支持板２２の折り曲げ突起部２２ａからより離れた位置に移動する。従って、ホール素子１５の出力が低下する。このホール素子１５の低出力信号に基づき、カメラ制御回路部９は、ＬＣＤ１３のオン状態を維持する。
【００２５】
上述したように本実施形態のカメラ１によれば、液晶表示枠６の姿勢位置によってＬＣＤ１３のオンオフを切り換える制御を行うため、ホール素子１５に対する検出用磁石として専用磁石を設けることなく、カメラ外装体２内部に配されるブレ防止装置付きの撮像ユニット２１の磁石３３を兼用して、部品点数を減らしている。
【００２６】
また、ヨークとなる後支持板２２から磁石３３のもれ磁束がホール素子１５側に達しやすくするために後支持板２２のホール素子１５と対向する部分に背面側に折り曲げ突起部２２ａが設けることでホール素子１５による液晶表示枠６の姿勢位置の検出をより確実に行っている。
【００２７】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００２８】
本発明の撮像装置は、より簡単な構成の可動モニタの姿勢位置検出機構を有する撮像装置としての利用が可能である。
【符号の説明】
【００２９】
６…液晶表示枠（可動モニタ）
１５…ホール素子（磁気検出手段）
２１…撮像ユニット（装置，ブレ防止装置）
２２…後支持板（強磁性材料）
２４…可動枠（可動部材）
３３…磁石
【図１】
0005548011.tif 000002
【図２】
0005548011.tif 000003
【図３】
0005548011.tif 000004
【図４】
0005548011.tif 000005
【図５】
0005548011.tif 000006
【図６】
0005548011.tif 000007
【図７】
0005548011.tif 000008
【図８】
0005548011.tif 000009
【図９】
0005548011.tif 000010